(57)【要約】【課題】実際に作製される三次元造形物の形状を表す造形画像を作成して表示するようにした三次元造形装置および三次元造形方法を提供する。【解決手段】作製する三次元造形物の形状を表す三次元モデルのデータたる三次元データから、複数の層に分割した断面形状により三次元モデルを表す断面画像データを作成し、この断面画像データに基づいて三次元造形物を作製する三次元造形装置において、断面画像データから第１二次元座標データを取得する手段と、第１二元座標データを三角分割法を用いて第２二次元座標データに変換する手段と、第２二次元座標データに高さ情報を付加して三次元座標データを作成する手段と、三次元座標データに厚みを表現する三次元モデルデータを生成して、層画像データを作成する手段と、層画像データから造形画像データを生成する生成手段と、造形画像データに基づいて造形画像を表示する表示手段とを有するようにした。【選択図】        図２
2015136795.tif 000002
【特許請求の範囲】
【請求項１】
作製する三次元造形物の形状を表す三次元モデルのデータたる三次元データから、所定の方向に連続する複数の層に分割した断面形状により三次元モデルを表すデータたる断面画像データを作成し、作成した断面画像データに基づいて、三次元造形物を作製する三次元造形装置において、
各層の断面画像データから第１の二次元座標データを取得する取得手段と、
前記第１の二元座標データを三角分割法を用いて三角形で構成される第２の二次元座標データに変換する変換手段と、
前記第２の二次元座標データに高さ情報を付加して三次元座標データを作成する第１の作成手段と、
前記三次元座標データに厚みを表現する三次元モデルデータを生成して、各層の層画像データを作成する第２の作成手段と、
各層の前記層画像データから、実際に作製した際の三次元造形物を三次元で表す画像のデータたる造形画像データを生成する生成手段と、
前記造形画像データに基づいて、実際に作製した際の三次元造形物を三次元で表す画像たる造形画像を表示する表示手段と
を有することを特徴とする三次元造形装置。
【請求項２】
作製する三次元造形物の形状を表す三次元モデルのデータたる三次元データから、断面画像データを作成し、作成した断面画像データに基づいて、三次元造形物を作製する三次元造形装置において、
前記三次元データから所定の方向に連続する複数の層に分割した断面形状により三次元モデルを表すデータたる第１の断面画像データと、前記三次元データから前記所定の方向に連続する複数の層に分割した断面形状によりサポート部材が形成された三次元モデルを表すデータたる第２の断面画像データを作成する断面画像データ作成手段と、
各層の第１の断面画像データから第１の二次元座標データを取得するとともに、各層の第２の断面画像データから第２の二次元座標データを取得する取得手段と、
前記第１の二元座標データを三角分割法を用いて三角形で構成される第３の二次元座標データに変換するとともに、前記第２の二元座標データを三角分割法を用いて三角形で構成される第４の二次元座標データに変換する変換手段と、
前記第３の二次元座標データに高さ情報を付加して第１の三次元座標データを作成するとともに、前記第４の二次元座標データに高さ情報を付加して第２の三次元座標データを作成する第１の作成手段と、
前記第１の三次元座標データに厚みを表現する三次元モデルデータを生成して、各層の第１の層画像データを作成するとともに、前記第２の三次元座標データに厚みを表現する三次元モデルデータを生成して、各層の第２の層画像データを作成する第２の作成手段と、
各層の前記第１の層画像データから、実際に作製した際のサポート部材無しの三次元造形物を三次元で表す画像のデータたるサポート部材無し造形画像データを生成するとともに、各層の前記第２の層画像データから、実際に作製した際のサポート部材有りの三次元造形物を三次元で表す画像のデータたるサポート部材有り造形画像データを生成する生成手段と、
前記サポート部材無し造形画像データに基づいて実際に作製した際のサポート部材無しの三次元造形物を三次元で表す画像たる造形画像と、前記サポート部材有り造形画像データに基づいて実際に作製した際のサポート部材有りの三次元造形物を三次元で表す画像たる造形画像とを選択的に表示する表示手段と
を有することを特徴とする三次元造形装置。
【請求項３】
請求項１または２のいずれか１項に記載の三次元造形装置において、
前記生成手段では、実際に作製した際の三次元造形物の全体を三次元で表す画像のデータたる第１の造形画像データと、実際に作製した際の三次元造形物の特定の１層を三次元で表す画像のデータたる第２の造形画像データと、実際に作製した際の三次元造形物の連続する複数の層を三次元で表す画像のデータたる第３の造形画像データとの少なくともいずれか１つを生成する
ことを特徴とする三次元造形装置。
【請求項４】
請求項１、２または３のいずれか１項に記載の三次元造形装置において、
前記表示手段は、前記生成手段により生成された造形画像データに基づく造形画像と、前記三次元データに基づく三次元モデルとを選択的に表示する
ことを特徴とする三次元造形装置。
【請求項５】
三次元造形装置により三次元造形物を作製する三次元造形方法において、
作製する三次元造形物の形状を表す三次元モデルのデータたる三次元データから、所定の方向に連続する複数の層に分割した断面形状により三次元モデルを表すデータたる断面画像データを作成する第１の工程と、
各層の断面画像データから第１の二次元座標データを取得する第２の工程と、
前記第１の二次元座標データを三角分割法を用いて三角形で構成される第２の二次元座標データに変換する第３の工程と、
前記第２の二次元座標データに高さ情報を付加して三次元座標データを作成する第４の工程と、
前記三次元座標データに厚みを表現する三次元モデルデータを生成して、各層の層画像データを作成する第５の工程と、
各層の前記層画像データから、実際に作成した際の三次元造形物を三次元で表す画像のデータたる造形画像データを生成する第６の工程と、
前記造形画像データに基づいて、実際に作成した際の三次元造形物を三次元で表す画像たる造形画像を表示する第７の工程と
を前記三次元造形装置が実行する
ことを特徴とする三次元造形方法。
【請求項６】
三次元造形装置により三次元造形物を作製する三次元造形方法において、
作製する三次元造形物の形状を表す三次元モデルのデータたる三次元データから、所定の方向に連続する複数の層に分割した断面形状により三次元モデルを表すデータ第１の断面画像データと、前記三次元データから、前記所定の方向に連続する複数の層に分割した断面形状によりサポート部材が形成された三次元モデルを表すデータたる第２の断面画像データとを作成する第１の工程と、
各層の第１の断面画像データから第１の二次元座標データを取得するとともに、各層の第２の断面画像データから第２の二次元座標データを取得する第２の工程と、
第１の二次元座標データを三角分割法を用いて三角形で構成される第３の二次元座標データに変換するとともに、前記第２の二次元座標データを三角分割法を用いて三角形で構成される第４の二次元座標データに変換する第３の工程と、
前記第３の二次元座標データに高さ情報を付加して第１の三次元座標データを作成するとともに、前記第４の二次元座標データに高さ情報を付加して第２の三次元座標データを作成する第４の工程と、
前記第１の三次元座標データに厚みを表現する三次元モデルデータを生成して、各層の第１の層画像データを作成するとともに、前記第２の三次元座標データに厚みを表現する三次元モデルデータを生成して、各層の第２の層画像データを作成する第５の工程と、
各層の第１の層画像データから、実際に作製した際のサポート部材無しの三次元造形物を三次元で表す画像のデータたるサポート部材無し造形画像データを生成するとともに、各層の前記第２の層画像データから、実際に作製した際のサポート部材有りの三次元造形物を三次元で表す画像のデータたるサポート部材有りの造形画像データを生成する第６の工程と、
前記サポート部材無し造形画像データに基づいて実際に作製した際のサポート部材無しの三次元造形物を三次元で表す画像たる造形画像と、前記サポート部材有り造形画像データに基づいて実際に作製した際のサポート部材有りの三次元造形物を三次元で表す画像たる造形画像とを選択的に表示する第７の工程と
を前記三次元造形装置が実行する
ことを特徴とする三次元造形方法。
【請求項７】
請求項５または６のいずれか１項に記載の三次元造形方法において、
前記第６の工程では、実際に作製した際の三次元造形物の全体を三次元で表す画像のデータたる第１の造形画像データと、実際に作製した際の三次元造形物の特定の１層を三次元で表す画像のデータたる第２の造形画像データと、実際に作製した際の三次元造形物の連続する複数の層を三次元で表す画像のデータたる第３の造形画像データとの少なくともいずれか１つを生成する
ことを特徴とする三次元造形方法。
【請求項８】
請求項５、６または７のいずれか１項に記載の三次元造形方法において、
前記第７の工程では、前記生成手段により生成された造形画像データに基づく造形画像と、前記三次元データに基づく三次元モデルとを選択的に表示する
ことを特徴とする三次元造形方法。
【発明の詳細な説明】
【技術分野】
【０００１】
本発明は、三次元造形装置および三次元造形方法に関し、さらに詳細には、光を照射すると硬化する光硬化性樹脂を用いて三次元造形物を作製する三次元造形装置および三次元造形方法に関する。
【背景技術】
【０００２】
従来より、作製する三次元造形物の形状を表す三次元データに基づいて、ヘッドから光硬化性樹脂を吐出して硬化することにより三次元造形物を作製する技術としては、例えば、特許文献１に開示された技術が知られている。
【０００３】
即ち、この特許文献１に開示された技術では、ＸＹＺ直交座標系におけるＸ軸方向、Ｙ軸方向およびＺ軸方向の三軸方向に移動自在に配設された吐出ノズルから、断面画像データに基づいて液糊状の光硬化性樹脂を吐出するとともに、吐出した光硬化性樹脂に光を照射することにより当該光硬化性樹脂を硬化して硬化層を形成する。そして、こうした断面画像データに基づく硬化層を積み重ねて三次元造形物を作製するようにしている。
【０００４】
ところで、こうした技術において用いられる断面画像データは、作製する三次元造形物の形状を表す三次元モデルのデータたる三次元データを、Ｚ軸方向において所定の間隔ごとに、ＸＹ平面で分割したときの断面形状を表すデータとなっている。つまり、断面画像データは、三次元データを水平方向に分割して複数の層に分けた断面形状となっており、１つの三次元データから複数の断面画像データが作成されることとなる。
【０００５】
具体的には、まず、作製する三次元造形物の形状を表す三次元モデルのデータたる三次元データに基づいて、演算処理により三次元モデルの形状を正確に作製するためのサポート部材が形成された三次元データを作成する（図６を参照する。）。
【０００６】
そして、こうして作成されたサポート部材が形成された三次元データの断面画像を作成する。即ち、サポート部材が形成された三次元データを、Ｚ軸方向の所定の間隔おきにＸＹ平面により切断したときの断面図を表す複数の断面画像データを作成する。
【０００７】
しかしながら、三次元造形物の形状が複雑になると、この三次元造形物を表す三次元モデルの形状が複雑になり、演算誤差や演算ミスなどにより、サポート形状が形成された三次元モデルの断面画像データにおいて、三次元モデルの断面の一部に欠落が生じる「抜け」などの不具合が生じてしまっていた。
【０００８】
こうした断面画像データに不具合が生じた場合には、三次元造形物を作製する前に作業者が確認する方法はなく、実際に三次元造形物を作製する際に、失敗した三次元造形物を確認して、断面画像データに不具合が生じていることを認識するものであった。
【０００９】
したがって、不具合が生じた断面画像データは、実際に三次元造形物を作製しながら修正することとなっていた。
【００１０】
また、三次元造形装置では、実際に三次元造形物を作製するまで、作製される三次元造形物の表面状態（つまり、隣り合う硬化層により形成される段差の大きさに起因する滑らかさである。）がどの程度の滑らかさであるのかがわからず、実際に作製した三次元造形物の表面状態が、作業者がイメージしていた三次元造形物の表面状態よりも劣ってしまう場合があった。
【００１１】
なお、三次元造形物の表面状態は、例えば、断面画像データを作成する際のＺ軸方向の所定の間隔に相当する層ピッチを小さくすることで、より良好な表面状態、つまり、より滑らかな表面状態とすることができるが、この場合、三次元造形物の作製に時間を要することとなっていた。
【００１２】
したがって、こうした手法では、層ピッチを適当な大きさに決定することが難しく、必要以上の表面状態の三次元造形物を、時間をかけて作製されることとなる場合があった。
【００１３】
このため、断面画像データに基づいて、実際に作製される三次元造形物の形状を表す画像を、作業者が事前に確認することができれば、当該画像を確認しながら、表面状態を決める層ピッチの調整や、不具合の生じた断面画像データの修正などをすることができ、所望の三次元造形物を容易に取得となることが期待できる。
【００１４】
こうしたことから、断面画像データに基づいて、実際に作製される三次元造形物の形状を表す画像を作成するとともに、作成した画像を表示して、作業者が、実際に三次元造形物を作製する前に、実際に作製された状態の三次元造形物を確認することができるようにした三次元造形装置および三次元造形方法の提案が望まれていた。
【先行技術文献】
【特許文献】
【００１５】
【特許文献１】特公平６−９８６８９号公報
【発明の概要】
【発明が解決しようとする課題】
【００１６】
本発明は、従来の技術の有する上記したような要望に鑑みてなされたものであり、その目的とするところは、実際に作製される三次元造形物の形状を表す画像を作成し、作成した画像を表示するようにした三次元造形装置および三次元造形方法を提供しようとするものである。
【課題を解決するための手段】
【００１７】
上記目的を達成するために、本発明による三次元造形装置は、作製する三次元造形物の形状を表す三次元モデルのデータたる三次元データから、所定の方向に連続する複数の層に分割した断面形状により三次元モデルを表すデータたる断面画像データを作成し、作成した断面画像データに基づいて、三次元造形物を作製する三次元造形装置において、各層の断面画像データから第１の二次元座標データを取得する取得手段と、上記第１の二元座標データを三角分割法を用いて三角形で構成される第２の二次元座標データに変換する変換手段と、上記第２の二次元座標データに高さ情報を付加して三次元座標データを作成する第１の作成手段と、上記三次元座標データに厚みを表現する三次元モデルデータを生成して、各層の層画像データを作成する第２の作成手段と、各層の上記層画像データから、実際に作製した際の三次元造形物を三次元で表す画像のデータたる造形画像データを生成する生成手段と、上記造形画像データに基づいて、実際に作製した際の三次元造形物を三次元で表す画像たる造形画像を表示する表示手段とを有するようにしたものである。
【００１８】
また、本発明による三次元造形装置は、作製する三次元造形物の形状を表す三次元モデルのデータたる三次元データから、断面画像データを作成し、作成した断面画像データに基づいて、三次元造形物を作製する三次元造形装置において、上記三次元データから所定の方向に連続する複数の層に分割した断面形状により三次元モデルを表すデータたる第１の断面画像データと、上記三次元データから上記所定の方向に連続する複数の層に分割した断面形状によりサポート部材が形成された三次元モデルを表すデータたる第２の断面画像データを作成する断面画像データ作成手段と、各層の第１の断面画像データから第１の二次元座標データを取得するとともに、各層の第２の断面画像データから第２の二次元座標データを取得する取得手段と、上記第１の二元座標データを三角分割法を用いて三角形で構成される第３の二次元座標データに変換するとともに、上記第２の二元座標データを三角分割法を用いて三角形で構成される第４の二次元座標データに変換する変換手段と、上記第３の二次元座標データに高さ情報を付加して第１の三次元座標データを作成するとともに、上記第４の二次元座標データに高さ情報を付加して第２の三次元座標データを作成する第１の作成手段と、上記第１の三次元座標データに厚みを表現する三次元モデルデータを生成して、各層の第１の層画像データを作成するとともに、上記第２の三次元座標データに厚みを表現する三次元モデルデータを生成して、各層の第２の層画像データを作成する第２の作成手段と、各層の上記第１の層画像データから、実際に作製した際のサポート部材無しの三次元造形物を三次元で表す画像のデータたるサポート部材無し造形画像データを生成するとともに、各層の上記第２の層画像データから、実際に作製した際のサポート部材有りの三次元造形物を三次元で表す画像のデータたるサポート部材有り造形画像データを生成する生成手段と、上記サポート部材無し造形画像データに基づいて実際に作製した際のサポート部材無しの三次元造形物を三次元で表す画像たる造形画像と、上記サポート部材有り造形画像データに基づいて実際に作製した際のサポート部材有りの三次元造形物を三次元で表す画像たる造形画像とを選択的に表示する表示手段とを有するようにしたものである。
【００１９】
また、本発明による三次元造形装置は、上記した三次元造形装置において、上記生成手段では、実際に作製した際の三次元造形物の全体を三次元で表す画像のデータたる第１の造形画像データと、実際に作製した際の三次元造形物の特定の１層を三次元で表す画像のデータたる第２の造形画像データと、実際に作製した際の三次元造形物の連続する複数の層を三次元で表す画像のデータたる第３の造形画像データとの少なくともいずれか１つを生成するようにしたものである。
【００２０】
また、本発明による三次元造形装置は、上記した三次元造形装置において、上記表示手段は、上記生成手段により生成された造形画像データに基づく造形画像と、上記三次元データに基づく三次元モデルとを選択的に表示するようにしたものである。
【００２１】
また、本発明による三次元造形方法は、三次元造形装置により三次元造形物を作製する三次元造形方法において、作製する三次元造形物の形状を表す三次元モデルのデータたる三次元データから、所定の方向に連続する複数の層に分割した断面形状により三次元モデルを表すデータたる断面画像データを作成する第１の工程と、各層の断面画像データから第１の二次元座標データを取得する第２の工程と、上記第１の二次元座標データを三角分割法を用いて三角形で構成される第２の二次元座標データに変換する第３の工程と、上記第２の二次元座標データに高さ情報を付加して三次元座標データを作成する第４の工程と、上記三次元座標データに厚みを表現する三次元モデルデータを生成して、各層の層画像データを作成する第５の工程と、各層の上記層画像データから、実際に作成した際の三次元造形物を三次元で表す画像のデータたる造形画像データを生成する第６の工程と、上記造形画像データに基づいて、実際に作成した際の三次元造形物を三次元で表す画像たる造形画像を表示する第７の工程とを上記三次元造形装置が実行するようにしたものである。
【００２２】
また、本発明による三次元造形方法は、三次元造形装置により三次元造形物を作製する三次元造形方法において、作製する三次元造形物の形状を表す三次元モデルのデータたる三次元データから、所定の方向に連続する複数の層に分割した断面形状により三次元モデルを表すデータ第１の断面画像データと、上記三次元データから、上記所定の方向に連続する複数の層に分割した断面形状によりサポート部材が形成された三次元モデルを表すデータたる第２の断面画像データとを作成する第１の工程と、各層の第１の断面画像データから第１の二次元座標データを取得するとともに、各層の第２の断面画像データから第２の二次元座標データを取得する第２の工程と、第１の二次元座標データを三角分割法を用いて三角形で構成される第３の二次元座標データに変換するとともに、上記第２の二次元座標データを三角分割法を用いて三角形で構成される第４の二次元座標データに変換する第３の工程と、上記第３の二次元座標データに高さ情報を付加して第１の三次元座標データを作成するとともに、上記第４の二次元座標データに高さ情報を付加して第２の三次元座標データを作成する第４の工程と、上記第１の三次元座標データに厚みを表現する三次元モデルデータを生成して、各層の第１の層画像データを作成するとともに、上記第２の三次元座標データに厚みを表現する三次元モデルデータを生成して、各層の第２の層画像データを作成する第５の工程と、各層の第１の層画像データから、実際に作製した際のサポート部材無しの三次元造形物を三次元で表す画像のデータたるサポート部材無し造形画像データを生成するとともに、各層の上記第２の層画像データから、実際に作製した際のサポート部材有りの三次元造形物を三次元で表す画像のデータたるサポート部材有り造形画像データを生成する第６の工程と、上記サポート部材無し造形画像データに基づいて実際に作製した際のサポート部材無しの三次元造形物を三次元で表す画像たる造形画像と、上記サポート部材有り造形画像データに基づいて実際に作製した際のサポート部材有りの三次元造形物を三次元で表す画像たる造形画像とを選択的に表示する第７の工程とを上記三次元造形装置が実行するようにしたものである。
【００２３】
また、本発明による三次元造形方法は、上記した三次元造形方法において、上記第６の工程では、実際に作製した際の三次元造形物の全体を三次元で表す画像のデータたる第１の造形画像データと、実際に作製した際の三次元造形物の特定の１層を三次元で表す画像のデータたる第２の造形画像データと、実際に作製した際の三次元造形物の連続する複数の層を三次元で表す画像のデータたる第３の造形画像データとの少なくともいずれか１つを生成するようにしたものである。
【００２４】
また、本発明による三次元造形方法は、上記した三次元造形方法において、上記第７の工程では、上記生成手段により生成された造形画像データに基づく造形画像と、上記三次元データに基づく三次元モデルとを選択的に表示するようにしたものである。
【発明の効果】
【００２５】
本発明は、以上説明したように構成されているので、実際に作製される三次元造形物の状態を表す画像を作成し、その画像を表示することができるという優れた効果を奏する。
【図面の簡単な説明】
【００２６】
【図１】図１は、本発明による三次元造形装置の概略構成斜視説明図である。
【図２】図２は、マイクロコンピューターの機能的構成を示すブロック構成図である。
【図３】図３は、画像データ作成処理の処理ルーチンを示すフローチャートである。
【図４】図４（ａ）（ｂ）は、表示部に表示された三次元モデルの一例を示す説明図である。
【図５】図５（ａ）（ｂ）は、表示部に表示された三次元造形物の全体の形状を表す造形画像の一例を示す説明図である。
【図６】図６は、サポート部材が形成された三次元データの一部を示す説明図である。
【図７】図７（ａ）は、表示部に表示された三次元造形物における第ｎ層（最終層）のみの形状を表す造形画像の一例を示す説明図であり、また、図７（ｂ）は、表示部に表示された三次元造形物における第ｎ−９層から第ｎ層（最終層）までの形状を表す造形画像の一例を示す説明図である。
【発明を実施するための形態】
【００２７】
以下、添付の図面を参照しながら、本発明による三次元造形装置および三次元造形方法の実施の形態の一例を詳細に説明するものとする。
【００２８】
図１には、本発明による三次元造形装置の実施の形態の一例の概略構成斜視説明図が示されている。
【００２９】
この図１に示す三次元造形装置１０は、筐体１２内部に、光硬化性樹脂を吐出するとともに吐出した光硬化性樹脂を硬化する吐出ヘッド１４と、上面１６ａにおいて吐出ヘッド１４から吐出される光硬化性樹脂により三次元造形物が作製されるテーブル１６とが配設されている。
【００３０】
なお、この三次元造形装置１０の全体の動作は、マイクロコンピューター５０により制御されており、このマイクロコンピューター５０は、作製する三次元造形物の形状を表す三次元モデルのデータたる三次元データが入力され、この三次元データに基づいて三次元造形の作製時に必要となる断面画像データを作成する。
【００３１】
また、マイクロコンピューター５０は、作成された断面画像データに基づいて、実際に作製したときの三次元造形物を三次元で表す画像（以下、「断面画像データに基づいて、実際に作製したときに三次元造形物を三次元で表す画像」を、「造形画像」と適宜に称する。）のデータ（以下、「造形画像のデータ」を、「造形画像データ」と称する。）を作成し、作成した造形画像データを表示部５８（後述する。）に表示する。
【００３２】
そして、作業者により三次元造形物の作製が指示されると、マイクロコンピューター５０によって、この断面画像データに基づいて各構成部材の動作が制御され、この断面画像データに基づいて形成し硬化した硬化層を積層して、所望の三次元造形物を作製することとなる。
【００３３】
より詳細には、筐体１２は、上方側から前方側に渡って開口部１８が形成されており、この開口部１８は透明なカバー部材２０により覆われている。
【００３４】
カバー部材２０は、開閉自在に配設されており、カバー部材２０を開くことにより、筐体１２内部の空間が筐体１２外部の空間と連通して開状態となり、カバー部材２０を閉めることにより、筐体１２内部の空間が筐体１２外部の空間と遮断されて閉状態となる。
【００３５】
そして、カバー部材２０を開状態として、テーブル１６の上面１６ａにおいて作製された三次元造形物の取り出しなどが行われ、カバー部材２０を閉状態として、吐出ヘッド１４による三次元造形物の作製が行われる。
【００３６】
吐出ヘッド１４は、筐体１２内部において、側方部材１２−１、１２−２を連結するように配設された一対のガイドレール２２に移動自在に配設された移動部材２４の前面２４ａにおいてＸＹＺ直交座標系におけるＺ軸方向に移動自在に配設されている。
【００３７】
即ち、吐出ヘッド１４は、移動部材２４の前面２４ａにおいてＺ軸方向に延設されたガイドレール（図示せず。）に移動自在に配設され、マイクロコンピューター５０の制御により、吐出ヘッド１４に設けられたモーター（図示せず。）が駆動して吐出ヘッド１４を当該ガイドレールに沿ってＺ軸方向において上方側および下方側に移動することとなる。
【００３８】
移動部材２４は、側方部材１２−１、１２−２を連結するようにＸ軸方向に延設された一対のガイドレール２２に移動自在に配設されており、マイクロコンピューター５０の制御により移動部材２４に設けられたモーター（図示せず。）が駆動して、Ｘ軸方向において左方側および右方側に移動する。
【００３９】
したがって、移動部材２４に配設された吐出ヘッド１４は、移動部材２４を介してＸ軸方向にも移動可能となっている。
【００４０】
また、吐出ヘッド１４は、後方部材１２−４内に設けられたタンク（図示せず。）からチューブ２８を介して光硬化性樹脂が供給され、供給された光硬化性樹脂を下面１４ａに設けられたノズルヘッド１４−１から吐出する。
【００４１】
さらに、吐出ヘッド１４は、下面１４ａにおいて、ノズルヘッド１４−１から吐出された光硬化性樹脂に対して光を照射して硬化する光照射ヘッド１４−２が設けられている。
【００４２】
したがって、吐出ヘッド１４のノズルヘッド１４−１から吐出された光硬化性樹脂には、吐出後直ちに光照射ヘッド１４−２から光が照射されて硬化されることとなる。
【００４３】
つまり、この吐出ヘッド１４は、マイクロコンピューター５０の制御により、断面画像データに基づいて、Ｘ軸方向およびＺ軸方向に移動しながら、ノズルヘッド１４−１から光硬化性樹脂を吐出するとともに、光照射ヘッド１４−２によりノズルヘッド１４−１から吐出された光硬化性樹脂に対して光を照射して硬化するようになされている。
【００４４】
テーブル１６は、筐体１２の底面部材１２−３においてＹ軸方向に延長して設けられた一対のガイドレール２６上に移動自在に設けられている。
【００４５】
また、テーブル１６には、モーター（図示せず。）が設けられており、このモーターがマイクロコンピューター５０により制御されて駆動することによって、テーブル１６を一対のガイドレール２６に沿ってＹ軸方向において前方側および後方側に移動することとなる。
【００４６】
また、マイクロコンピューター５０は、三次元造形装置１０の全体の動作を制御するとともに、三次元造形物の作製時に必要となる断面画像データと、実際に作製したときの三次元造形物を表す造形画像データとを作成する。
【００４７】
ここで、図２を参照しながら、マイクロコンピューター５０の機能的構成について説明する。
【００４８】
即ち、マイクロコンピューター５０は、三次元造形装置１０の全体の動作を制御する制御部５２と、三次元造形物の作製時に必要となる断面画像データを作成する断面画像データ作成部５４と、断面画像データ作成部５４で作成された断面画像データに基づいて、造形画像データを作成する造形画像データ作成部５６と、断面画像データや造形画像データなどを表示する表示部５８と、断面画像データ、造形画像データを含む各種データを記憶する記憶部６０とを有して構成されている。
【００４９】
より詳細には、制御部５２は、例えば、モーター（図示せず。）を駆動して、移動部材２４のＸ軸方向の移動、吐出ヘッド１４のＺ軸方向に移動、テーブル１６のＹ軸方向の移動を含む、各構成部材の動作を制御する。
【００５０】
断面画像データ作成部５４は、作製する三次元造形物の形状を表す三次元モデルのデータたる三次元データに基づいて、演算処理によりサポート部材が形成された三次元データを作成する。なお、このサポート部材とは、三次元造形装置１０において三次元モデルの形状を正確に作成するための部材である。
【００５１】
そして、こうして作成されたサポート部材が形成された三次元データから断面画像データを作成する。
【００５２】
即ち、サポート部材が形成された三次元データを、Ｚ軸方向において所定の間隔ごとにＸＹ平面で分割して、Ｚ軸方向で連続する複数の断面形状により三次元モデルを表すデータたる断面画像データを作成する。
【００５３】
つまり、この断面画像データ作成部５４は、従来より公知の技術によって、サポート部材が形成された三次元データの断面画像データを作成するようになされている。
【００５４】
なお、Ｚ軸方向においてＸＹ平面で分割する所定の間隔については、隣り合う断面形状の間隔を表す層ピッチ（例えば、０．１〜０．１５ｍｍである。）として作業者により設定される。
【００５５】
また、この断面画像データには、例えば、断面形状を取得したＺ軸座標の小さいものから順番に層番号が付される。
【００５６】
即ち、Ｚ軸の座標値が０、Ｚ１、Ｚ２、Ｚ３、・・・、Ｚｎ−１（ｎは正の整数である。）において断面形状を取得した場合には、座標値が「０」における断面画像を第１層とし、座標値が「Ｚ１」における断面画像を第２層とし、座標値が「Ｚ２」における断面画像を第３層とし、座標値が「Ｚ３」における断面画像を第４層とする。また、座標値が「Ｚｎ−１」における断面画像を第ｎ層（最終層）とする。
【００５７】
また、造形画像データ作成部５６は、断面画像データから二次元座標データ取得する二次元座標データ取得部６２と、二次元座標データを三角分割法を用いて三角形で構成される二次元座標データに変換する二次元座標データ変換部６４と、変換された二次元座標データに高さ情報を付加し、三次元座標データを作成する三次元座標データ作成部６６と、三次元座標データに厚みを表現する三次元モデルデータを生成して、実際に光硬化性樹脂により形成される所定の層の画像たる層画像データを作成する層画像データ作成部６８と、作成された層画像データを積層して造形画像データを生成する造形画像データ生成部７０とを有して構成されている。
【００５８】
より詳細には、二次元座標データ取得部６２は、所定の層の断面画像データから当該所定の層の二次元座標データを取得する。
【００５９】
二次元座標データ変換部６４は、二次元座標データ取得部６２で取得した所定の層の二次元座標データを、三角分割法を用いて三角形で構成される二次元座標データに変換する。
【００６０】
三次元座標データ作成部６６は、二次元座標データ変換部６４で変換した所定の層の二次元座標データに高さ情報を付加して三次元座標データを作成する。つまり、三次元座標データ作成部６６で作成される三次元座標データは、高さ情報が示す高さにおける二次元データとなっている。
【００６１】
層画像データ作成部６８は、三次元座標データ作成部６６で作成された三次元座標データに、厚みを表現する三次元モデルデータを生成する。つまり、この層画像データ作成部６８では、高さ情報が示す高さにおける所定の層の二次元データに厚みを表現する三次元モデルデータを生成することによって、所定の層の層画像データを作成することとなる。
【００６２】
なお、層画像データ作成部６８で生成される三次元モデルデータの厚みは、第ｉ層（ｉは正の整数である。）の断面画像データから造形画像データを作成する場合には、「ｉ」に層ピッチを積算した値となる。
【００６３】
また、層画像データ作成部６８において作成される層画像データには、断面画像データの層番号と同じ層番号が付される。
【００６４】
つまり、第ｉ層における三次元座標データに三次元モデルデータを生成して層画像データを作成した場合には、この層画像データには第ｉ層の層番号が付されることとなる。
【００６５】
造形画像データ生成部７０は、作業者からの指示に基づいて表示部５８に造形画像を表示するための造形画像データを生成する。
【００６６】
具体的には、例えば、作業者から、単に、表示部５８に造形画像の表示の指示がなされると、造形画像データ生成部７０においては、第１層から最終層まで順番に層画像データを積層して造形画像データを作成し、この造形画像データを表示部５８に出力して、作製する三次元造形物の全体の形状を表す造形画像を表示する。
【００６７】
また、例えば、作業者から、特定の１つの層の造形画像の表示の指示がなされると、造形画像データ生成部７０においては、作業者が指定した層の層画像データを造形画像データとし、この造形画像データを表示部５８に出力して、作製する三次元造形物における特定の１つの層の形状を表す造形画像を表示する。
【００６８】
さらに、例えば、作業者から連続する複数の層で構成される造形画像の表示がなされると、造形画像データ生成部７０においては、作業者が指定した連続する複数の層の層画像データを順番に積層して造形画像データを生成し、この造形画像データを表示部５８に出力して、作製する三次元造形物における複数の層により形成される造形画像を表示する。
【００６９】
また、表示部５８は、三次元データに基づく三次元造形物の形状を表す画像、造形画像データに基づく三次元造形物の形状を表す画像などを表示するとともに、操作子（図示せず。）を介した作業者からの入力情報に基づいて表示内容を変更する。
【００７０】
記憶部６０は、作製する三次元造形物の形状を表す三次元モデルのデータたる三次元データ、断面画像データ作成部５４で作成された断面画像データ、造形画像データ作成部５６で作成された層画像データ、造形画像データを含む各種情報を記憶する。
【００７１】
以上の構成において、三次元造形装置１０により三次元造形物を作製する場合には、まず、作業者により、作製したい三次元造形物の形状を表す三次元モデルのデータたる三次元データをマイクロコンピューター５０に入力し、操作子（図示せず。）などの操作により、断面画像データの作成が指示されると、マイクロコンピューター５０において、画像データ作成処理が開始される。
【００７２】
ここで、図３のフローチャートには、画像データ作成処理の詳細な処理内容が示されており、この画像データ作成処理においては、まず、入力された三次元造形物の形状を表す三次元モデルのデータたる三次元データから、サポート部材が形成された三次元モデルの断面画像データを作成する（ステップＳ３０２）。
【００７３】
即ち、このステップＳ３０２の処理においては、まず、断面画像データ作成部５４において、入力された三次元データに基づいて演算処理により、サポート部材が形成された三次元モデルのデータたる三次元データを作成する。
【００７４】
その後、作成されたサポート部材が形成された三次元モデルのデータたる三次元データをＺ軸方向において所定の間隔（つまり、層ピッチとして設定した値である）ごとにＸＹ平面で分割して、Ｚ軸方向で連続する複数の断面形状によりサポート部材が形成された三次元モデルを表すデータたる断面画像データを作成する。
【００７５】
このとき、Ｚ軸座標の小さいものから順に層番号が付される。
【００７６】
即ち、Ｚ軸の座標値が、０、Ｚ１、Ｚ２、・・・、Ｚｉ−１、・・・、Ｚｎ−１（ｉ＜ｎであり、ｉ、ｎは正の整数である。）において断面形状を取得し、座標値が「０」における断面画像を第１層とし、座標値が「Ｚ１」における断面画像を第２層とし、座標値が「Ｚ２」における断面画像を第３層とする。また、座標値が「Ｚｉ−１」における断面画像を第ｉ層とし、座標値が「Ｚｎ−１」における断面画像を第ｎ層（最終層）とする。
【００７７】
なお、こうして作成された断面画像データは、記憶部６０に出力されて記憶される。
【００７８】
断面画像データを作成すると、次に、断面画像データの層番号を表す「ｉ」を「１」と設定し（ステップＳ３０４）、第ｉ層の断面画像データから二次元座標データを取得する（ステップＳ３０６）。
【００７９】
即ち、ステップＳ３０４の処理においては、二次元座標データ作成部６２において、断面画像データの層番号を表す「ｉ」を「１」と設定する。
【００８０】
また、ステップＳ３０６の処理においては、二次元座標データ作成部６２において、第ｉ層の断面画像データから第ｉ層の二次元座標データを取得する。
【００８１】
第ｉ層の二次元座標データを取得すると、取得した二次元座標データを三角分割法を用いて三角形で構成される二次元座標データに変換する（ステップＳ３０８）。
【００８２】
即ち、ステップＳ３０８の処理においては、二次元座標データ変換部６４において、第ｉ層の二次元座標データを三角分割法により変換することとなる。
【００８３】
次に、ステップＳ３０８の処理により変換した第ｉ層の二次元座標データに、高さ情報を付加して三次元座標データを作成する（ステップＳ３１０）。
【００８４】
即ち、ステップＳ３１０の処理においては、三次元座標データ作成部６６において、ステップＳ３０８の処理により変換した第ｉ層の二次元座標データに「ｉ×層ピッチ」で表される高さ情報を付加して第ｉ層の三次元座標データを作成する。
【００８５】
その後、第ｉ層の三次元座標データに厚みを表現する三次元モデルデータを生成して、第ｉ層の層画像データを作成する（ステップＳ３１２）。
【００８６】
即ち、ステップＳ３１２の処理においては、層画像データ作成部６８において、第ｉ層の三次元座標データに三次元モデルデータを生成して、第ｉ層の層画像データを作成し、作成した第ｉ層の層画像データを記憶部６０出力し、記憶する。
【００８７】
第ｉ層の層画像データが作成されると、層画像データ作成部６８において、第ｉ層が最終層であるか否かを判断する（ステップＳ３１４）。
【００８８】
このステップＳ３１４の判断処理において、第ｉ層が最終層ではないと判断されると、「ｉ」の値を「＋１」し（ステップＳ３１６）、ステップＳ３０６の処理に進む、ステップＳ３０６の処理以降の処理を行う。
【００８９】
即ち、ステップＳ３１６の処理では、ステップＳ３０６の処理で次の層の二次元座標データを取得するように設定される。
【００９０】
また、ステップＳ３１４の判断処理において、第ｉ層が最終層であると判断されると、この画像データ作成処理を終了する。
【００９１】
こうして、画像データ作成処理によって、第１層から第ｎ層（最終層）までの断面画像データおよび層画像データが作成されることとなる。
【００９２】
その後、作業者により操作子（図示せず。）が操作されて、作製する三次元造形物の形状を表す三次元モデルの表示の指示がなされると、表示部５８において三次元データに基づいて三次元モデルを表示し（図４（ａ）（ｂ）を参照する。）、断面画像データに基づいて実際に作製したときの三次元造形物を三次元で表す画像たる造形画像の表示の指示がなされると、造形画像データ作成部７０において造形画像データが作成され、表示部５８において造形画像データに基づいて造形画像を表示する（図５（ａ）（ｂ）、図７（ａ）（ｂ）を参照する。）。
【００９３】
そして、作業者は、この造形画像から、断面画像データに基づいて実際に作製される三次元造形物の表面状態や形状などを確認することとなる。
【００９４】
なお、造形画像を表示部５８に表示する際には、作業者の指示に基づいて造形画像データ作成部７０において造形画像データが作成され、実際に作製される三次元造形物の全体の形状と、実際に作製される三次元造形物における特定の層の形状と、実際に作製される三次元造形物における連続する複数の層の形状とを造形画像として表示することができる。
【００９５】
即ち、作業者が層番号を指定することなく造形画像の表示を指示した場合には、造形画像データ作成部７０において、第１層から最終層までの層画像データを順番に積層して造形画像データを作成し、この造形画像データに基づいて、実際に作製される三次元造形物全体の形状の造形画像を表示部５８に表示する（図５（ａ）（ｂ）を参照する。）。
【００９６】
また、作業者が特定の層番号を１つだけ指定して造形画像の表示を指示した場合には、造形画像データ作成部７０において、指定された特定の層番号の層データのみを造形画像データとし、この造形画像データに基づいて、実際に作製される三次元造形物における特定の１つの層の形状の造形画像を表示部５８に表示する（図７（ａ）を参照する。）。
【００９７】
さらに、作業者が連続する複数の層を指定して造形画像の表示を指示した場合には、造形画像データ作成部７０において、指定された連続する複数の層番号の層データを順番に積層して造形画像データとし、この造形画像データに基づいて、実際に作製される三次元造形物における連続する複数の層により形成される造形画像を表示部５８に表示する（図７（ｂ）を参照する。）。
【００９８】
このようにして、三次元造形装置１０においては、造形画像を表示部５８に表示することが可能であるため、例えば、断面画像データに不具合が生じている場合には、表示部５８に表示された造形画像に不具合が生じることとなり、作業者は、この造形画像を確認することにより、断面画像データに不具合が生じていることを、実際に三次元造形物を作製する前に確認することができることとなる。
【００９９】
即ち、表示部５８に表示された造形画像を確認して、表面状態が作業者のイメージより滑らかでないと判断した場合には、層ピッチの値を小さく設定して再度画像データ作成処理を行い、断面画像データおよび層画像データを作成する。また、表面状態がもっと粗くてもかまわないと判断した場合には、層ピッチの値を大きく設定して再度画像データ作成処理を行い、断面画像データおよび層画像データを作成する。
【０１００】
さらに、造形画像において、三次元造形物の形状に不具合が生じている場合には、不具合が生じている部分のみを指定、つまり、不具合が生じている層番号を指定して、表示部５８に表示させることにより、作業者は、不具合が生じている造形画像のどこに問題があるのかを確認し、確認した内容に基づいて、断面画像データを修正することができるようになる。
【０１０１】
こうして、造形画像データを確認し、修正するなどして断面画像データを作成した後に、作業者により操作子（図示せず。）が操作されて三次元造形物の作製の開始が指示されると、記憶部６０に記憶された断面画像データに基づいて、テーブル１６をＹ方向で移動するとともに、移動部材２４をＸ軸方向で移動し、さらに吐出ヘッド１４をＺ軸方向で移動しながら、吐出ヘッド１４から光硬化性樹脂を吐出して、テーブル１６の上面１６ａに三次元造形物を作製する。
【０１０２】
以上において説明したように、本発明による三次元造形装置１０は、作成した断面画像データに基づいて、実際に作製したときの三次元造形物の形状を三次元で表す画像たる造形画像データを作成し、作業者は、実際に三次元造形物を作製する前に、表示部５８において造形画像データに基づく造形画像を確認することができるようにした。
【０１０３】
これにより、本発明による三次元造形装置１０においては、実際に三次元造形物を作製する前に、断面画像データの不具合や三次元造形物の表面状態などを確認することができることとなる。
【０１０４】
このため、本発明による三次元造形装置１０によれば、三次元造形物を作製する際の失敗が著しく減少し、効率よく三次元造形物を作製することができるようになるとともに、作業者のイメージに合った表面状態で三次元造形物を作製することができるようになる。
【０１０５】
なお、上記した実施の形態は、以下の（１）乃至（７）に示すように変形するようにしてもよい。
【０１０６】
（１）上記した実施の形態においては、移動部材２４をＸ軸方向に移動するようにし、テーブル１６をＹ軸方向に移動するようにし、吐出ヘッド１４をＺ軸方向に移動するようにしたが、これに限られるものではないことは勿論であり、テーブル１６と吐出ヘッド１４との相対的な位置関係が三次元で変化するような構成であればよく、移動部材２４、テーブル１６および吐出ヘッド１４のいずれかが固定されるようにしてもよい。
【０１０７】
（２）上記した実施の形態においては、マイクロコンピューター５０に作製する三次元造形物の形状を表す三次元モデルの三次元データを入力して、断面画像データ、層画像データおよび造形画像データを作成するようにしたが、これに限られるものではないことは勿論である。
【０１０８】
即ち、別途用意されたパーソナルコンピューターにおいて、断面画像データ、層画像データおよび造形画像データを作成し、当該パーソナルコンピューターをマイクロコンピューター５０と接続して、当該パーソナルコンピューターで作成した断面画像データ、層画像データおよび造形画像データをマイクロコンピューター５０に出力するようにしてもよい。
【０１０９】
（３）上記した実施の形態においては、吐出ヘッド１４とテーブル１６との相対的な位置関係が三次元で変化し、吐出ヘッド１４から吐出された光硬化性樹脂によりテーブル１６の上面１６ａに三次元造形物を作製する三次元造形装置１０において、断面画像データ、層画像データおよび造形画像データを作成するようにしたが、これに限られるものではないことは勿論である。
【０１１０】
即ち、液体状の光硬化性樹脂が貯留された容器の底面からプロジェクタにより所定の画像を照射し、当該容器内に配置された保持板の下面に所定の液層厚さ分だけ光硬化性樹脂を硬化させて硬化層を作製し、この硬化層を積層させて三次元造形物を作製する、所謂、吊り上げ積層方式の三次元造形装置において、断面画像データ、層画像データおよび造形画像データを作成するようにしてもよく、要は、サポート部材が形成された三次元モデルの断面画像データに基づいて三次元造形物を作製する三次元造形装置であれば、どのような三次元造形装置であってもよい。
【０１１１】
（４）上記した実施の形態においては、造形画像データ生成部７０は、実際に作製される三次元造形物の全体を三次元で表す造形画像データと、実際に作製される三次元造形物の特定の１層を三次元で表す造形画像データと、実際に作製される三次元造形物の連続する複数の層を三次元で表す造形画像データとを生成するようにしたが、これに限られるものではないことは勿論であり、上記した３種類の造形画像データの少なくとも１つの造形画像データを生成するようにしてもよい。
【０１１２】
（５）上記した実施の形態においては、全ての層の断面画像データを作成した後に、各層の造形画像データを作成するようにしたが、これに限られるものではないことは勿論であり、所定の層の断面画像データを作成した後に、当該所定の層の造形画像データを作成する、つまり、各層毎に、断面画像データおよび造形画像データを作成する用にしてもよい。
【０１１３】
（６）上記した実施の形態においては、サポート部材を形成した三次元データから断面画像データを作成し、この断面画像データに基づいて造形画像データを作成するようにしたが、これに限られるものではないことは勿論である。
【０１１４】
即ち、サポート部材を形成していない三次元データから断面画像データを作成し、この断面画像データから造形画像データを作成するようにしてもよい。
【０１１５】
具体的には、断面画像データ作成部５４において、サポート部材を形成した三次元データから第１の断面画像データを作成するとともに、サポート部材を形成していない三次元データ（つまり、入力された三次元データである。）から第２の断面画像データを作成するようにする。
【０１１６】
その後、造形画像データ作成部５６において、第２の断面画像データから造形画像データを作成し、表示部５８にサポート部材が形成されていない造形画像を表示するようにしてもよい。
【０１１７】
または、造形画像データ作成部５６において、第１の断面画像データ（サポート部材が形成されている）から第１の造形画像データを作成し、第２の断面画像データ（サポート部材が形成されていない）から第２の造形画像データを作成して、表示部５８にサポート部材が形成されている造形画像と、サポート部材が形成されていない造形画像とを選択的に表示できるようにしてもよい。
【０１１８】
より詳細には、造形画像データ作成部５６では、第１の断面画像データにおいて、二次元座標データを取得し、取得した二次元座標データを三角法を用いて三角形で構成される二次元座標データに変換し、この変換した二次元座標データに高さ情報を付加して三次元座標データを作成し、三次元座標データに三次元モデルデータを生成して第１の層画像データを作成する。また、第２の断面画像データにおいて、二次元座標データを取得し、取得した二次元座標データを三角法を用いて三角形で構成される二次元座標データに変換し、この変換した二次元座標データに高さ情報を付加して三次元座標データを作成し、三次元座標データに三次元モデルデータを生成して第２の層画像データを作成する。
【０１１９】
そして、作業者の操作子（図示せず。）による操作により、サポート部材の形成された造形画像の表示が指示されると、第１の層画像データから造形画像データを作成し、この造形画像データが表示部５８に出力されて、表示部５８においてサポート部材が形成された造形画像が表示される。
【０１２０】
また、作業者の操作子（図示せず。）による操作により、サポート部材の形成されていない造形画像の表示が指示されると、第２の層画像データから造形画像データを作成し、この造形画像データが表示部５８に出力されて、表示部５８において、サポート部材が形成されていない造形画像が表示される。
【０１２１】
（７）上記した実施の形態ならびに上記した（１）乃至（６）に示す変形例は、適宜に組み合わせるようにしてもよい。
【産業上の利用可能性】
【０１２２】
本発明は、三次元造形物を作製する三次元造形装置として用いて好適である。
【符号の説明】
【０１２３】
１０  三次元造形装置、１２  筐体、１４  吐出ヘッド、１６  テーブル、１８  開口部、２０  カバー部材、２２、２６  ガイドレール、２４  移動部材、２８  チューブ、５０  マイクロコンピューター、５２  制御部、５４  断面画像データ作成部、５６  第造形画像データ作成部、５８  表示部、６０  記憶部、６２  二次元座標データ取得部、６４  二次元座標データ変換部、６６  三次元座標データ作成部、６８  層画像データ作成部、７０  造形画像データ生成部
【図１】
2015136795.tif 000003
【図２】
2015136795.tif 000004
【図３】
2015136795.tif 000005
【図４】
2015136795.tif 000006
【図５】
2015136795.tif 000007
【図６】
2015136795.tif 000008
【図７】
2015136795.tif 000009